(57)【要約】【課題】  収容物を挟持する保持片を固定することができる包装箱を提供する。【解決手段】  箱の側面となる一対の主板１１ａ，１１ｂ及び側板１２ａ，１２ｂが交互に連接され、前記一対の主板の各下縁に底面となる一対の外底板３３ａ，３３ｂが延設され、前記一対の各側板の各下縁にフラップ２１ａ，２１ｂが延設され、該一対のフラップは、前記側板に連続する内底板２５ａ，２５ｂと、該内底板に連続し、先端に収容物を挟持する保持部２３ａ，２３ｂが形成された保持片２２ａ，２２ｂとを備え、前記一対の外底板は、その下縁に連続する支持片３１ａ，３１ｂを備え、前記一対のフラップが内側に折り込まれ、且つ前記保持片が、内側に折り込まれて底面から立設された状態にて、前記一対の外底板が内側に折り込まれ、且つ前記支持片が対向する前記保持片の間に差し込まれてなるようにした。【選択図】    図２
2006051978.tif 000002
【特許請求の範囲】
【請求項１】
箱の側面となる一対の主板及び側板が交互に連接され、前記一対の主板の各下縁に底面となる一対の外底板が延設され、前記一対の各側板の各下縁にフラップが延設されたシート体から形成されてなり、
前記シート体の側縁同士が接合されて箱形状に形成され、前記一対のフラップが内方に折り曲げられた後に前記一対の外底板が内方に折り曲げられることにより底面が閉塞されてなる包装箱であって、
前記一対のフラップは、前記側板に連続する内底板と、該内底板に連続し、先端に収容物を挟持する保持部が形成された保持片とを備え、
前記一対の外底板は、その下縁に連続する支持片を備え、
前記一対のフラップが内側に折り込まれ、且つ前記保持片が、内側に折り込まれて底面から立設された状態にて、
前記一対の外底板が内側に折り込まれ、且つ前記支持片が対向する前記保持片の間に差し込まれてなることを特徴とする包装箱。
【請求項２】
前記内底板は、前記保持片寄りに、上下方向へ伸びるスリットを有し、
前記外底板は、前記支持片の両側に設けられ、前記スリットに挿入可能な補助支持片を備え、
前記一対のフラップが内側に折り込まれ、且つ前記保持片が、内側に折り込まれて底面から立設された状態にて、
前記一対の外底板が内側に折り込まれ、且つ前記支持片が対向する前記保持片の間に差し込まれ、前記補助支持片が前記スリットに差し込まれてなることを特徴とする請求項１記載の包装箱。
【請求項３】
箱の側面となる一対の主板及び側板が交互に連接され、前記一対の主板の各下縁に底面となる一対の外底板が延設され、前記一対の各側板の各下縁にフラップが延設されたシート体から形成されてなり、
前記シート体の側縁同士が接合されて箱形状に形成され、前記一対のフラップが内方に折り曲げられた後に前記一対の外底板が内方に折り曲げられることにより底面が閉塞されてなる包装箱であって、
前記一対のフラップは、前記側板に連続する内底板と、該内底板に連続し、先端に収容物を挟持する保持部が形成された保持片と、前記内底板及び保持片に跨って上下方向に延びるスリットとを備え、
前記一対の外底板は、その下縁に連続する支持片を備え、
前記一対のフラップが内側に折り込まれ、且つ前記保持片が、内側に折り込まれて底面から立設された状態にて、
前記一対の外底板が内側に折り込まれ、且つ前記支持片が前記スリットに挿入されてなることを特徴とする包装箱。
【発明の詳細な説明】
【技術分野】
【０００１】
本発明は、収容物を挟持して収納することができる包装箱に関し、詳しくは収容物を保持する保持片が一体的に形成されてなる包装箱に関する。
【背景技術】
【０００２】
収容物を搬送するために、物品の形状を保持し、効率よく輸送すべく、収容物の形状に合わせた種々の包装箱がある。例えば、化粧品のサンプルや医薬品など一回の使用分毎に個別包装した成形パウチは、収容物同士が接触したり、収容物と包装箱とが当たったりして、収容物が破損したり、あるいは中身が漏れ出てしまうことがある。そこで、包装箱の内部に、仕切を設けたり、中敷きを敷いて、収容物を区分けしたり、あるいは、フラップを折り込むと形成される係止部に収容物を挟持したりしている（例えば、特許文献１参照）。
【０００３】
特許文献１に記載されている収容箱は、図８に示すように、側板２１２から延設される内蓋板２２１，２３１の先端に係合部２２２ａ〜２２２ｃ，２３２ａ〜２３２ｃが形成されているので、内蓋板２２１，２３１を折り込んだ際に係合部２２２ａ，…を底面から立設された状態にし、外蓋板２４１を内側に折り込んで、差し込み片２４２を主板２１１の内面に差し込むことにより、底面を閉塞することができる。
【０００４】
このように作製された従来の包装箱は、係合部を有する蓋板と包装箱とが一枚のシートで一体的に組み立てられるため、製造が簡便である。また、係合部が収容物を挟持するので、収容物が破損したり、中身が散乱することを防止することができる。
【０００５】
【特許文献１】特開２００１−３１０６４号公報
【発明の開示】
【発明が解決しようとする課題】
【０００６】
しかしながら、上記従来の包装箱によれば、仕切や中敷きを有する場合、それらを別工程で作製しなければならず、またそれらを取り付けるために接着剤などで付着する工程も必要となり、製造工程が煩雑になる。
【０００７】
また、上記特許文献１に記載の従来の包装箱によれば、係合部２２２ａ，…は、単に内蓋板２２１，２２２の先端を折り曲げただけであるので、何の規制も受けておらず容易に倒れてしまうことがある。従って、収容物を詰める作業中に、あるいは輸送中に係合部２２２ａ，…が倒れたり、折れ曲がってしまうことがあり、これにより、収容物が破損したり、中身が散乱するという問題がある。
【０００８】
本発明は、上記問題を鑑みてなされたもので、製造が容易であり、収容物を安定性よく支持することができる包装箱を提供することを課題とする。
【課題を解決するための手段】
【０００９】
そこで、本発明に係る包装箱は、箱の側面となる一対の主板及び側板が交互に連接され、前記一対の主板の各下縁に底面となる一対の外底板が延設され、前記一対の各側板の各下縁にフラップが延設されたシート体から形成されてなり、前記シート体の側縁同士が接合されて箱形状に形成され、前記一対のフラップが内方に折り曲げられた後に前記一対の外底板が内方に折り曲げられることにより底面が閉塞されてなる包装箱であって、前記一対のフラップは、前記側板に連続する内底板と、該内底板に連続し、先端に収容物を挟持する保持部が形成された保持片とを備え、前記一対の外底板は、その下縁に連続する支持片を備え、前記一対のフラップが内側に折り込まれ、且つ前記保持片が、内側に折り込まれて底面から立設された状態にて、前記一対の外底板が内側に折り込まれ、且つ前記支持片が対向する前記保持片の間に差し込まれてなるようにした。
【００１０】
上記構成からなる包装箱によれば、底面を閉塞する際に一方の対向するフラップを折り曲げることにより、収容物を挟持する保持片を形成し、他方の対向するフラップ（外底板）を折り曲げることにより、前記保持片を固定することができるので、別部材で仕切や中敷きを作製するなどの無駄な工程を排除し、一枚のシート体から作業効率よく包装箱を作製することができる。また、保持片は、外部から衝撃を受けても倒れたり、折れ曲がることがなく固定されているので、安定して収容物を支持することができる。
【００１１】
また、本発明に係る包装箱は、前記内底板が、前記保持片寄りに、上下方向へ伸びるスリットを有し、前記外底板が、前記支持片の両側に設けられ、前記スリットに挿入可能な補助支持片を備え、前記一対のフラップが内側に折り込まれ、且つ前記保持片が、内側に折り込まれて底面から立設された状態にて、前記一対の外底板が内側に折り込まれ、且つ前記支持片が対向する前記保持片の間に差し込まれ、前記補助支持片が前記スリットに差し込まれてなるようにした。
【００１２】
この構成により、支持片が保持片を内面から支持し、補助支持片が保持片を外面から支持しているので、より高い安定度で保持片を固定することができる。
【００１３】
また、本発明に係る包装箱は、箱の側面となる一対の主板及び側板が交互に連接され、前記一対の主板の各下縁に底面となる一対の外底板が延設され、前記一対の各側板の各下縁にフラップが延設されたシート体から形成されてなり、前記シート体の側縁同士が接合されて箱形状に形成され、前記一対のフラップが内方に折り曲げられた後に前記一対の外底板が内方に折り曲げられることにより底面が閉塞されてなる包装箱であって、前記一対のフラップは、前記側板に連続する内底板と、該内底板に連続し、先端に収容物を挟持する保持部が形成された保持片と、前記内底板及び保持片に跨って上下方向に延びるスリットとを備え、前記一対の外底板は、その下縁に連続する支持片を備え、前記一対のフラップが内側に折り込まれ、且つ前記保持片が、内側に折り込まれて底面から立設された状態にて、前記一対の外底板が内側に折り込まれ、且つ前記支持片が前記スリットに挿入されてなるようにした。
【００１４】
この構成により、支持片をフラップに設けたスリットに挿入して、保持片の外面及び内面の両面から固定するようにしたので、保持片を安定性よく固定することができる。
【発明の効果】
【００１５】
即ち、本発明に係る包装箱は、収容物を挟持する保持片が形成されたフラップと、先端に支持片を有する外底板とを組み合わせて包装箱の開口部分を塞ぐようにしたので、保持片を安定性よく固定することができ、収容物を保持部で挟持することにより、収容物を安定性よく保持することができる。また、外部から衝撃を受けても保持片ががたつくことなく、収容物を支持することができる。さらに、このような包装箱は、１枚の打ち抜かれたシートにより形成することができるので、別部材で仕切や中敷きを作製するなどの無駄な工程を排除し、作業効率よく包装箱を作製することができる。
【発明を実施するための最良の形態】
【００１６】
以下、本発明の一実施形態について図面を参酌しつつ説明する。
【００１７】
＜第一実施形態＞
図１は、本発明の第一実施形態に係る包装箱の展開図である。
【００１８】
図１より、包装箱の側面は、一対の主板１１ａ，１１ｂと一対の側板１２ａ，１２ｂとが交互に連接されて構成されており、さらに一方の主板１１ｂの側縁には貼着片１３が延設されている。
【００１９】
そして、側板１２ａ（１２ｂ）の上縁にはフラップ４１ａ（４１ｂ）が延設されており、下縁にはフラップ２１ａ（２１ｂ）が延設されている。このフラップ２１ａ（２１ｂ）は、前記側板１２ａ（１２ｂ）に連続する内底板２５ａ（２５ｂ）と、該内底板２５ａ（２５ｂ）に連続する保持片２２ａ（２２ｂ）とから構成される。該保持片２２ａ（２２ｂ）には、先端に、収容物を個別に支持するための複数の保持部２３ａ，…（２３ｂ，…）が間隔を開けて設けられている。また、前記内底板２５ａ（２５ｂ）及び保持片２２ａ（２２ｂ）の境界線上の中央部分には、前記保持片２２ａ（２２ｂ）側に僅かに突出している略コ字状の切り込み部２４ａ（２４ｂ）を有してもよい。なお前記保持部２３ａ，２３ｂは、切り込みや切欠による溝によって形成することができる。
【００２０】
一方、主板１１ａ（１１ｂ）の下縁には外底板３３ａ（３３ｂ）が延設されている。そして、該外底板３３ａ（３３ｂ）の下縁にはさらに支持片３１ａ（３１ｂ）が連続して設けられている。この支持片３１ａ（３１ｂ）の長手方向（つまり、主板及び側板が連続する方向）の長さは、保持片２２ａ，２２ｂを折り込んだときの対向する保持片２２ａ，２２ｂ間と同一又は同等とすることが好ましい。これにより、支持片３１ａ（３１ｂ）を差し込んだときに、その端部が対向する保持片２２ａ，２２ｂと当接し、保持片２２ａ，２２ｂを安定性よく固定することができる。また、外底板３３ａ（３３ｂ）の短手方向（つまり、外底板３３ａ（３３ｂ）及び支持片３１ａ（３１ｂ）が連続する方向）の長さは、支持片３１ａ（３１ｂ）を折り曲げたときに、２枚の外底板３３ａ，３３ｂで底面を閉塞するものであればよい。
【００２１】
なお、支持片３１ａ（３１ｂ）及び外底板３３ａ（３３ｂ）の境界線上の両端部には、僅かに切り込まれた切り込み部３２ａ，３２ａ（３２ｂ，３２ｂ）を有してもよい。次に、一方の主板１１ｂの上縁には包装箱の開口部を覆う蓋板５１が延設され、さらに該蓋板５１の上縁には、差し込み片５３が連続して設けられている。また、蓋板５１及び差し込み片５３の境界線上の両端部には切り込み部５２，５２を設けてもよく、これにより蓋板５１を閉じたときに、主板１１ａの両端部と係合することができる。
【００２２】
このように構成された包装箱は、図１の形状を基に、１枚のシートを打ち抜いたシート体から以下の手順で作製することができる。図２に、上記展開図から作製した包装箱の一部破断斜視図を示す。
【００２３】
まず、貼着片１３を側板１２ａの側縁に当接させて貼着し、筒状の箱形を形成する。次に、フラップ２１ａ，２１ｂを内側に折り込んで、さらに保持片２２ａ，２２ｂを同一方向に折り込んで、保持片２１ａ，２１ｂが箱の底面に対し立設された状態にする。次に、外底板３３ａ，３３ｂを内側に折り込んで、立設させた保持片２２ａ，２２ｂ間に支持片３１ａ，３１ｂを差し込む。このとき、支持片３１ａ，３１ｂに設けた切り込み部３２ａ，３２ｂをフラップ２１ａ，２１ｂに設けた切り込み部２４ａ，２４ｂに係合させることにより、保持片２１ａ，２１ｂを強固に固定することができる。
【００２４】
続いて、包装箱の他方の開口部は、フラップ４１ａ，４１ｂを内側に折り込んで、開口部を塞ぐように蓋板５１を折り込み、差し込み片５３を主板１１ａの内面に差し込むことにより封止することができる。
【００２５】
以上のように、本実施形態に係る包装箱によれば、立設させた保持片２２ａ，２２ｂ間に、支持片３１ａ，３１ｂを差し込むようにして、底面を閉塞するようにしたので、支持片３１ａ，３１ｂの両端が保持片２２ａ，２２ｂの側面を内側から支持することとなり、保持片２２ａ，２２ｂを安定性よく固定することができる。しかも、支持片３１ａ，３１ｂは、合掌された状態で包装箱の内部に差し込まれているので、保持部２３ａ，２３ｂに収容物が挟持されても、安定性よく収容物を支持することができ、外部から衝撃を受けても保持片２２ａ，２２ｂが倒れたり、折れ曲がったりすることがない。従って、保持部２２ａ，２２ｂに固定される収容物が成形パウチなどの軟包装品であっても、保持部２２ａ，２２ｂが個々の収容物を安定性よく保持しているので、保持片２２ａ，２２ｂが倒れて搬送中に収容物が散乱することなく、また、複数の収容物が挟持されても収容物同士が接触しないので収容物が破損することもない。
【００２６】
さらに、本実施形態にかかる包装箱は、１枚の打ち抜かれたシート体から作製することができるので、保持片２２ａ，２２ｂ及び支持片３１ａ，３１ｂを一体的に作製でき、別部材で保持片や支持片を作製するなどの無駄な工程を排除し、作業効率よく包装箱を作製することができる。
【００２７】
なお、本実施形態にかかる包装箱を作製するための基材は、特に限定されるものではないが、例えば、紙や樹脂材料（ＰＥＴ，ＰＰなど）などを用いることができ、それらの基材が単層であっても複数の材料を積層したものであっても構わない。
【００２８】
また、前記保持部２３ａ，２３ｂは、切り込みや切欠などの溝によって形成することができるが、収納する収容物により種々の形状を採用することができる。例えば、波形や山形に切り込んだり、切り欠いたりしたものであってもよい。あるいは、保持片２２ａ，２２ｂに１乃至複数の孔を形成して、そこに収容物を挿通するようにしてもよい。さらに、保持部２３ａ，２３ｂを形成する溝の深さは収納する収容物により種々に設定可能であり、溝の数も任意に設定することができ、１個であってもよい。
【００２９】
また、本実施形態に係る包装箱は、一方の開口部を前記保持部２３ａ，２３ｂを有するフラップ２１ａ，２１ｂで閉じるようにしたが、このフラップ２１ａ，２１ｂを他方の開口部にも備えるようにして、収容物を上下方向から挟み込んで収納するようにしてもよい。また、上記蓋板５１の構造は、一例であって、別部材の蓋をはめ合わせて閉じるようにしてもよく、用途に合わせて種々の構成を採用することができる。
【００３０】
＜第二実施形態＞
次に、本発明に係る包装箱の第二実施形態について説明する。なお、以下の説明において、第一実施形態に係る包装箱の各構成と同一、又は同等の構成については、同じ符号を付している。なお、対向する底板の形状は同一なので展開図の一部を図示して説明する。
【００３１】
図３は、本発明の第二実施形態に係る包装箱の要部展開図であり、主板１１ｂ，側板１２ｂから延設される底板部分を示す。
【００３２】
上記第一実施形態に係る包装箱と異なるところは、内底板２５ｂの保持片２２ｂ寄りに上下方向に延びるスリット６２ｂを設け、外底板３３ｂに、支持片３１ｂの両側に設けた補助支持片６１ｂを有する点である。ここで、スリット６２ｂが設けられる上下方向とは、フラップ２１ｂが伸びる方向をいう。また、スリット６２ｂの幅及び長さは、補助支持片６１ｂを挿入可能な大きさであればよい。
【００３３】
このように構成された包装箱の組み立て手順について、図４を参照して説明する。
【００３４】
図４は、図３の展開図から作成した包装箱の要部一部破断断面図である。まず、フラップ２１ｂを内側に折り込んで、さらに保持片２２ｂを同一方向に折り込んで、底面から立設させた状態にする。次に、外底板３３ｂを内側に折り込んで、支持片３１ａ，３１ｂを前記保持片２２ａ，２２ｂ間に差し込むとともに、補助支持片６１ａ，６１ｂをスリット６２ｂに差し込む。
【００３５】
以上のように、本実施形態に係る包装箱によれば、保持片２２ｂ（２２ａ）を支持片３１ａ，３１ｂと補助支持片６１ａ，６１ｂとで支持することができる。従って、包装箱の外部から衝撃を受けても、保持片２２ｂ（２２ａ）は支持片３１ａ，３１ｂと補助支持片６１ａ，６１ｂに挟まれた状態にあるため、どちらの向きにも倒れることなく、また、折れ曲がったりすることもなく、さらに安定性よく収容物を支持することができる。
【００３６】
なお、補助支持片６１ａ，６１ｂは、支持片３１ａ，３１ｂに隣接されてまたは、間隔をあけて設けてもよく、その間隔は任意に設定することができる。そして、補助支持片６１ａ，６１ｂの幅は、内底板２５ａ，２５ｂの上下方向の範囲以内で任意に設定可能である。
【００３７】
＜第三実施形態＞
次に、本発明に係る包装箱の第三実施形態について説明する。なお、以下の説明において、第二実施形態に係る包装箱の各構成と同一、又は同等の構成については、同じ符号を付している。なお、対向する底板の形状は同一なので展開図の一部を図示して説明する。
【００３８】
図５は、本発明の第三実施形態に係る包装箱の要部展開図であり、主板１１ｂ，側板１２ｂから延設される底板部分を示す。
【００３９】
上記第一実施形態に係る包装箱と異なるところは、内底板２５ｂ及び保持片２２ｂに跨って上下方向に延びるように設けたスリット７３ｂと、該スリット７３ｂに挿入するように設けた支持片７１ｂとを有する点である。ここで、スリット７３ｂが設けられる上下方向とは、フラップ２１ｂが伸びる方向をいう。そして、スリット７３ｂの保持片２２ｂ側の長さは、支持片７１ｂの上下（短手）方向が挿入可能な大きさに設定することができ、スリット７３ｂの内底板２５ｂ側の長さは、支持片７１ｂの左右（長手）方向の端部が挿入可能な大きさに設定することができる。
【００４０】
このように構成された包装箱の組み立て手順について、図６を参照して説明する。
【００４１】
図６は、図５の展開図から作成した包装箱の要部一部破断断面図である。まず、フラップ２１ｂを内側に折り込んで、さらに保持片２２ｂを同一方向に折り込んで、底面から立設させた状態にする。次に、外側板３３ｂを内側に折り込んで、支持片７１ａ，７１ｂをスリット７３ｂに挿入する。
【００４２】
以上のように、本実施形態に係る包装箱によれば、立設した保持片２２ｂ（２２ａ）に形成されるスリット７３ｂに支持片７１ａ，７１ｂを挿入するようにしたので、支持片７１ａ，７１ｂの挿入を容易にし、包装箱に外部から衝撃を受けても、保持片２２ｂ（２２ａ）の転倒を防止することができ、収納される収容物も安定性よく固定することができる。
【００４３】
＜第三実施形態の変形例＞
上記第三実施形態では、第一実施形態の支持片３１ａ，３１ｂよりも長尺な支持片７１ａ，７１ｂをスリット７３ｂに差し込んで、保持片２２ｂ（２２ａ）に貫通させている。これに対し、図７に示す変形例では、支持片７１ａ，７１ｂがスリット７３ｂに挿入されたときに、保持片２２ｂから外方向に出る支持片７１ａ，７１ｂをそれぞれ左右両側に対称に開くように折り曲げて、保持片２２ｂの外面に当接させるようにしている。
【００４４】
これにより、保持片２２ｂ（２２ａ）が外方向へ転倒したり折れ曲がったりするのを防止することができるので、保持片２２ｂ（２２ａ）の固定をより強固にすることができる。
【図面の簡単な説明】
【００４５】
【図１】第一実施形態に係る包装箱の展開図を示す。
【図２】同実施形態に係る包装箱の一部破断斜視図を示す。
【図３】第二実施形態に係る包装箱の要部展開図を示す。
【図４】同実施形態に係る包装箱の要部一部破断斜視図を示す。
【図５】第三実施形態に係る包装箱の要部展開図を示す。
【図６】同実施形態に係る包装箱の要部一部破断斜視図を示す。
【図７】同実施形態の変形例に係る包装箱の要部一部破断斜視図を示す。
【図８】従来の包装箱の斜視図を示す。
【符号の説明】
【００４６】
１１ａ，１１ｂ…主板
１２ａ，１２ｂ…側板
２１ａ，２１ｂ…フラップ
２２ａ，２２ｂ…保持片
２３ａ，２３ｂ…保持部
２５ａ，２５ｂ…内底板
３１ａ，３１ｂ，７１ａ，７１ｂ…支持片
３３ａ，３３ｂ…外底板
６１ａ，６１ｂ…補助支持片
６２ｂ，７３ｂ…スリット
【図１】
2006051978.tif 000003
【図２】
2006051978.tif 000004
【図３】
2006051978.tif 000005
【図４】
2006051978.tif 000006
【図５】
2006051978.tif 000007
【図６】
2006051978.tif 000008
【図７】
2006051978.tif 000009
【図８】
2006051978.tif 000010